【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
（ｉ）一連のピッチ値からなる検出ピッチ信号を受信するステップを有し、前記検出ピッチ信号内の各現行ピッチ値ごとに、少なくとも以下の（ｉｉ）〜（ｉｖ）を実行する方法であって、
（ｉｉ）複数隣接ピッチ値から複数ピッチ値からなる少なくとも１つの部分列を構築するステップであって、このような複数隣接ピッチ値が前記現行ピッチ値から係数の範囲内にあり、したがって、前記ピッチ値が互いに整合するステップと、
（ｉｉｉ）前記少なくとも１つの部分列の重要度を計算し、１つの部分列内の各ピッチ値が１つのエネルギ値に関連付けられ、前記重要度が前記部分列のエネルギに依存し、前記部分列の前記エネルギが前記部分列の前記ピッチ値の前記エネルギ値の関数であり、最高重要度を有する部分列または整合した複数部分列の集合を選択するステップと、
（ｉｖ）前記現行ピッチ値が最高重要度を有する前記部分列と整合しない場合に、最高重要度を有する前記部分列と整合したものにするために、１より大きい整数値でそれを割るかまたは１より大きい整数値をそれに掛けることにより、前記現行ピッチ値を平滑化するステップと、
を有する、ピッチ信号を追跡するための方法。
【請求項２】
複数ピッチ値からなる前記少なくとも１つの部分列が［Ｔｃｕｒｒｅｎｔ−Ｔｐａｓｔ，Ｔｃｕｒｒｅｎｔ］の時間範囲内に入るピッチ値からなり、Ｔｃｕｒｒｅｎｔが前記現行ピッチ値に対応する時間の瞬間であり、Ｔｐａｓｔが先行ピッチ値に対応する時間の瞬間であり、前記部分列内のそれぞれ２つの連続ピッチ値が１つの係数分だけ離れており、１．５＞係数＞１であり、［Ｔｃｕｒｒｅｎｔ−Ｔｐａｓｔ，Ｔｃｕｒｒｅｎｔ］の前記範囲内のすべてのピッチ値が１つの部分列に属す、請求項１に記載の方法。
【請求項３】
前記少なくとも１つの部分列が［Ｔｃｕｒｒｅｎｔ，Ｔｆｕｔｕｒｅ＋Ｔｃｕｒｒｅｎｔ］の範囲内に入るピッチ値からなり、Ｔｃｕｒｒｅｎｔが前記現行ピッチ値であり、Ｔｆｕｔｕｒｅが将来ピッチ値であり、前記部分列内のそれぞれ２つの連続ピッチ値が１つの係数分だけ離れており、１．５＞係数＞１であり、［Ｔｃｕｒｒｅｎｔ，Ｔｆｕｔｕｒｅ＋Ｔｃｕｒｒｅｎｔ］の前記範囲内のすべてのピッチ値が１つの部分列に属す、請求項１に記載の方法。
【請求項４】
前記少なくとも１つの部分列が［Ｔｃｕｒｒｅｎｔ，Ｔｆｕｔｕｒｅ＋Ｔｃｕｒｒｅｎｔ］の範囲内に入るピッチ値からなり、Ｔｃｕｒｒｅｎｔが前記現行ピッチ値であり、Ｔｆｕｔｕｒｅが将来ピッチ値であり、前記部分列内のそれぞれ２つの連続ピッチ値が１つの係数分だけ離れており、１．５＞係数＞１であり、［Ｔｃｕｒｒｅｎｔ，Ｔｆｕｔｕｒｅ＋Ｔｃｕｒｒｅｎｔ］の前記範囲内のすべてのピッチ値が１つの部分列に属す、請求項２に記載の方法。
【請求項５】
前記係数＝１．２８である、請求項２に記載の方法。
【請求項６】
前記係数＝１．２８である、請求項３に記載の方法。
【請求項７】
前記係数＝１．２８である、請求項４に記載の方法。
【請求項８】
このような部分列が、
連続ピッチ値と、
非連続ピッチ値
のうちの少なくとも一方を有する、請求項１に記載の方法。
【請求項９】
前記部分列の前記エネルギが前記部分列の前記ピッチ値の前記エネルギ値の合計である、請求項１に記載の方法。
【請求項１０】
過去部分列がテール・ピッチ値を有し、将来部分列がヘッド・ピッチ値を有し、前記（ｉｖ）が、最高重要度を有する前記部分列の前記テール・ピッチ値と整合したものにするために、１より大きい整数値でそれを割るかまたは１より大きい整数値をそれに掛けることにより、前記現行ピッチ値を平滑化することを含む、請求項１に記載の方法。
【請求項１１】
（ｉ）一連のピッチ値からなる検出ピッチ信号を受信するステップを有し、前記検出ピッチ信号内の各現行ピッチ値ごとに、少なくとも以下の（ｉｉ）〜（ｉｖ）を実行する方法であって、
（ｉｉ）複数隣接ピッチ値から複数ピッチ値からなる少なくとも１つの部分列を構築するステップであって、このような複数隣接ピッチ値が前記現行ピッチ値から係数の範囲内にあり、したがって、前記ピッチ値が互いに整合するステップと、
（ｉｉｉ）前記少なくとも１つの部分列の重要度を計算するステップであって、過去部分列のテール・ピッチ値または将来部分列のヘッド・ピッチ値をソートすることと、接近したテール・ピッチ値を有する部分列が同じグループ内に存在するように前記それぞれのテールまたはヘッド・ピッチ値により前記部分列をグループ化することを含み、前記重要度の計算が、各グループ内のすべての部分列の重要度を計算することと、最高重要度を有するグループを選択することを含むステップと、
（ｉｖ）前記現行ピッチ値が最高重要度を有する前記部分列と整合しない場合に、最高重要度を有する前記部分列と整合したものにするために、１より大きい整数値でそれを割るかまたは１より大きい整数値をそれに掛けることにより、前記現行ピッチ値を平滑化するステップと、
を有する、ピッチ信号を追跡するための方法。
【請求項１２】
最高重要度を有する前記グループ内の前記部分列の前記それぞれのテールまたはヘッド・ピッチ値が平均され、平均テールまたはヘッド・ピッチ値を発生し、前記（ｉｖ）が、前記現行ピッチ値が前記平均テールまたはヘッド・ピッチ値と整合しない場合に、前記平均テールまたはヘッド・ピッチ値と整合したものにするために、１より大きい整数値でそれを割るかまたは１より大きい整数値をそれに掛けることにより、前記現行ピッチ値を平滑化することを含む、請求項１１に記載の方法。
【請求項１３】
１つの部分列内の各ピッチ値が１つのエネルギ値に関連付けられ、（ｉｉｉ）で規定された前記重要度が前記部分列の前記エネルギに依存し、後者が前記部分列の前記ピッチ値の前記エネルギ値の関数である、請求項１１に記載の方法。
【請求項１４】
前記部分列の前記エネルギが前記部分列の前記ピッチ値の前記エネルギ値の合計である、請求項１１に記載の方法。
【請求項１５】
（ｉ）一連のピッチ値からなる検出ピッチ信号を受信するステップを有し、前記検出ピッチ信号内の各現行ピッチ値ならびにその任意の整数倍数および逆整数倍数ごとに、前記整数が所定の値より小さい場合に、少なくとも以下の（ｉｉ）〜（ｉｉｉ）を実行する方法であって、
（ｉｉ）複数隣接ピッチ値から整合した複数ピッチ値からなる少なくとも１つの部分列を構築し、このような複数隣接ピッチ値が前記現行ピッチ値から係数の範囲内にあり、したがって、前記ピッチ値が互いに整合し、検出ピッチ値が前記部分列と整合しない場合に、前記部分列と整合したものにするために、１より大きい整数値でそれを割るかまたは１より大きい整数値をそれに掛けるステップと、
（ｉｉｉ）前記少なくとも１つの部分列の重要度を計算し、１つの部分列内の各ピッチ値が１つのエネルギ値に関連付けられ、前記重要度が前記部分列のエネルギに依存し、それにより、前記部分列の前記エネルギが前記部分列の前記ピッチ値の前記エネルギ値の関数であり、最高重要度を有する部分列を選択し、それにより前記現行ピッチ値を平滑化したものにするステップと、
を有する、ピッチ信号を追跡するための方法。
【請求項１６】
複数ピッチ値からなる前記少なくとも１つの部分列が［Ｔｃｕｒｒｅｎｔ−Ｔｐａｓｔ，Ｔｃｕｒｒｅｎｔ］の時間範囲内に入るピッチ値からなり、Ｔｃｕｒｒｅｎｔが前記現行ピッチ値に対応する時間の瞬間であり、Ｔｐａｓｔが先行ピッチ値に対応する時間の瞬間であり、前記部分列内のそれぞれ２つの連続ピッチ値が１つの係数分だけ離れており、１．５＞係数＞１であり、［Ｔｃｕｒｒｅｎｔ−Ｔｐａｓｔ，Ｔｃｕｒｒｅｎｔ］の前記範囲内のすべてのピッチ値が１つの部分列に属す、請求項１５に記載の方法。
【請求項１７】
前記少なくとも１つの部分列が［Ｔｃｕｒｒｅｎｔ，Ｔｆｕｔｕｒｅ＋Ｔｃｕｒｒｅｎｔ］の範囲内に入るピッチ値からなり、Ｔｃｕｒｒｅｎｔが前記現行ピッチ値であり、Ｔｆｕｔｕｒｅが将来ピッチ値であり、前記部分列内のそれぞれ２つの連続ピッチ値が１つの係数分だけ離れており、１．５＞係数＞１であり、［Ｔｃｕｒｒｅｎｔ，Ｔｆｕｔｕｒｅ＋Ｔｃｕｒｒｅｎｔ］の前記範囲内のすべてのピッチ値が１つの部分列に属す、請求項１５に記載の方法。
【請求項１８】
前記（ｉｉ）が、前記部分列からの少なくとも１つの部分列が［Ｔｃｕｒｒｅｎｔ，Ｔｆｕｔｕｒｅ＋Ｔｃｕｒｒｅｎｔ］の範囲内に入るピッチ値からなり、Ｔｃｕｒｒｅｎｔが前記現行ピッチ値であり、ＴｆｕｔｕｒｅがＤ個の将来ピッチ値であることを含み、前記部分列内のそれぞれ２つの連続ピッチ値が１つの係数分だけ離れており、１．５＞係数＞１であり、［Ｔｃｕｒｒｅｎｔ，Ｔｆｕｔｕｒｅ＋Ｔｃｕｒｒｅｎｔ］の前記範囲内のすべてのピッチ値が１つの部分列に属す、請求項１６に記載の方法。
【請求項１９】
前記係数＝１．２８である、請求項１６に記載の方法。
【請求項２０】
前記係数＝１．２８である、請求項１７に記載の方法。
【請求項２１】
前記係数＝１．２８である、請求項１８に記載の方法。
【請求項２２】
一連のピッチ値からなる検出ピッチ信号を受信するためのレシーバを有し、前記検出ピッチ信号内の各現行ピッチ値ごとに、プロセッサにより少なくとも以下の（ｉｉ）〜（ｉｖ）を実行するシステムであって、
（ｉｉ）複数隣接ピッチ値から複数ピッチ値からなる少なくとも１つの部分列を構築するステップであって、このような複数隣接ピッチ値が前記現行ピッチ値から係数の範囲内にあり、したがって、前記ピッチ値が互いに整合するステップと、
（ｉｉｉ）前記少なくとも１つの部分列の重要度を計算し、それにより、１つの部分列内の各ピッチ値が１つのエネルギ値に関連付けられ、前記重要度が前記部分列のエネルギに依存し、前記部分列の前記エネルギが前記部分列の前記ピッチ値の前記エネルギ値の関数であり、最高重要度を有する部分列または整合した複数部分列の集合を選択するステップと、
（ｉｖ）前記現行ピッチ値が最高重要度を有する前記部分列と整合しない場合に、最高重要度を有する前記部分列と整合したものにするために、１より大きい整数値でそれを割るかまたは１より大きい整数値をそれに掛けることにより、前記現行ピッチ値を平滑化するステップと、
を有する、ピッチ信号を追跡するためのシステム。
【請求項２３】
一連のピッチ値からなる検出ピッチ信号を受信するためのレシーバを有し、前記検出ピッチ信号内の各現行ピッチ値ならびにその任意の整数倍数および逆整数倍数ごとに、前記整数が所定の値より小さい場合に、プロセッサにより少なくとも以下の（ｉｉ）〜（ｉｉｉ）を実行するシステムであって、
（ｉｉ）複数隣接ピッチ値から整合した複数ピッチ値からなる少なくとも１つの部分列を構築し、このような複数隣接ピッチ値が前記現行ピッチ値から係数の範囲内にあり、したがって、前記ピッチ値が互いに整合し、検出ピッチ値が前記部分列と整合しない場合に、前記部分列と整合したものにするために、１より大きい整数値でそれを割るかまたは１より大きい整数値をそれに掛けるステップと、
（ｉｉｉ）前記少なくとも１つの部分列の重要度を計算し、１つの部分列内の各ピッチ値が１つのエネルギ値に関連付けられ、前記重要度が前記部分列のエネルギに依存し、それにより、前記部分列の前記エネルギが前記部分列の前記ピッチ値の前記エネルギ値の関数であり、最高重要度を有する部分列を選択し、それにより前記現行ピッチ値を平滑化したものにするステップと、
を有する、ピッチ信号を追跡するためのシステム。
【請求項２４】
コンピュータに、一連のピッチ値からなる検出ピッチ信号を受信するためのレシーバを含み、前記検出ピッチ信号内の各現行ピッチ値ごとに、少なくとも以下の（ｉ）〜（ｉｉｉ）を実行させるコンピュータ・プログラムであって、
（ｉ）複数隣接ピッチ値から整合した複数ピッチ値からなる少なくとも１つの部分列を構築するステップであって、このような複数隣接ピッチ値が前記現行ピッチ値から係数の範囲内にあり、したがって、前記ピッチ値が互いに整合するステップと、
（ｉｉ）前記少なくとも１つの部分列の重要度を計算し、１つの部分列内の各ピッチ値が１つのエネルギ値に関連付けられ、前記重要度が前記部分列のエネルギに依存し、それにより、前記部分列の前記エネルギが前記部分列の前記ピッチ値の前記エネルギ値の関数であり、最高重要度を有する部分列または整合した複数部分列の集合を選択するステップと、
（ｉｖ）前記現行ピッチ値が最高重要度を有する前記部分列と整合しない場合に、最高重要度を有する前記部分列と整合したものにするために、１より大きい整数値でそれを割るかまたは１より大きい整数値をそれに掛けることにより、前記現行ピッチ値を平滑化するステップと、
を含む方法をコンピュータに実行させるためのコンピュータ・プログラム。
【請求項２５】
コンピュータにピッチ信号の追跡の方法を実行させるためのコンピュータ・プログラムであって、前記方法は、
（ｉ）一連のピッチ値からなる検出ピッチ信号を受信するステップを含み、前記検出ピッチ信号内の各現行ピッチ値ならびにその任意の整数倍数および逆整数倍数ごとに、前記整数が所定の値より小さい場合に、少なくとも以下の（ｉｉ）〜（ｉｉｉ）のステップを実行するステップと、
（ｉｉ）複数隣接ピッチ値から整合した複数ピッチ値からなる少なくとも１つの部分列を構築し、このような複数隣接ピッチ値が前記現行ピッチ値から係数の範囲内にあり、したがって、前記ピッチ値が互いに整合し、検出ピッチ値が前記部分列と整合しない場合に、前記部分列と整合したものにするために、１より大きい整数値でそれを割るかまたは１より大きい整数値をそれに掛けるステップと、
（ｉｉｉ）前記少なくとも１つの部分列の重要度を計算し、１つの部分列内の各ピッチ値が１つのエネルギ値に関連付けられ、前記重要度が前記部分列のエネルギに依存し、それにより、前記部分列の前記エネルギが前記部分列の前記ピッチ値の前記エネルギ値の関数であり、最高重要度を有する部分列を選択し、それにより前記現行ピッチ値を平滑化したものにするステップと、
を含む、コンピュータ・プログラム。